(57)【要約】【課題】屋根上機能パネルの固定部材の取り付けのために凹凸屋根パネルや野地板に形成される孔による、防水性の低下を抑える屋根構造を提供する。【解決手段】野地板１の上面に、凸部２１と凹部２２とを交互に備えた凹凸屋根パネル２が設けられる。隣接する凹凸屋根パネル２の端部の側縦片２３間に、上覆い片４１と側覆い片４２と下覆い片４３とを備えたカバー部材４が設けられる。カバー部材４に、上片６１と側片６２と下片６３とを備えた、屋根上機能パネル５を固定するための固定部材６が固定される。固定部材６は、側片６２と下片６３の境界となる折れ部に挿通口６５が形成される。カバー部材４の下覆い片４３には、挿通口６５に対応する部分に切り起こし片４６が形成される。切り起こし片４６が切り起こされた状態で固定部材６の挿通口６５に挿通され、切り起こし片４６が下片６３に重ねられる。【選択図】図１
2014080726.tif 000002
【特許請求の範囲】
【請求項１】
野地板と、
前記野地板の上面に軒方向に複数設けられる凹凸屋根パネルと、
隣接する二つの前記凹凸屋根パネルの端部間に設けられるカバー部材と、
前記カバー部材に固定されて屋根上機能パネルが固定されるための固定部材と、を備えた屋根構造であって、
前記凹凸屋根パネルは、下方に開口し上方に凸となる凸部と、上方に開口し上方に凹となる凹部とを軒方向に交互に備え、前記凹凸屋根パネルの軒方向の端部には前記凹部の側縦片が位置し、
隣接する二つの前記凹凸屋根パネルの前記側縦片が間隙を介して配置され、
前記カバー部材は、上覆い片と、前記上覆い片の軒方向の両側端部から下方に連設される側覆い片と、前記側覆い片の下端部から外側方に連設される下覆い片と、を備え、隣接する二つの前記凹凸屋根パネルの前記側縦片を内部に収容し、前記下覆い片が前記凹凸屋根パネルの前記凹部の底部に重ねられるように設けられ、
前記固定部材は、前記屋根上機能パネルが固定されるパネル固定部を上側に備えた上片と、前記上片の軒方向の両側端部から下方に連設される側片と、前記側片の下端部から外側方に連設される下片と、を備え、前記上片が前記カバー部材の前記上覆い片上に重ねられ、前記側片が前記側覆い片に重ねられ、前記下片が前記下覆い片に重ねられるように設けられ、
前記固定部材には、前記側片と前記下片の境界となる折れ部の軒棟方向の中間部に挿通口が形成され、
前記カバー部材の前記下覆い片の前記挿通口に対応する部分の軒棟方向両側に軒方向に切断部が形成されることで、前記切断部間に切り起こし片が形成され、
前記切り起こし片は、切り起こされた状態で前記固定部材の前記挿通口に挿通され、前記下片が前記下覆い片に重ねられた状態で前記切り起こし片が前記下片に重ねられることを特徴とする屋根構造。
【請求項２】
前記野地板の上面の隣接する二つの前記凹凸屋根パネルの端部間に固定される吊り子を備え、
前記吊り子は、
前記野地板の上面に載置されて固定される底片と、
前記底片の軒方向の両側から上方に連設され、前記凹凸屋根パネルの端部に位置する前記側縦片に沿って位置して、前記側縦片が撓むのを抑止する押さえ片と、
前記押さえ片の上端部に設けられ、前記側縦片の上端部を掴む掴み部と、を備えることを特徴とする請求項１記載の屋根構造。
【請求項３】
前記凹凸屋根パネルの端部に位置する前記側縦片の前記側覆い片と当接する側の面の上下中間部に、軒棟方向を長手方向とする凹溝が形成され、
前記カバー部材の前記側覆い片の前記側縦片と当接する側の面の前記凹溝に対応する位置に、軒棟方向を長手方向とし前記凹溝に嵌まり込む凸条が形成され、
前記凹溝と前記凸条とで、前記カバー部材が上方へ外れるのを抑える抜け止め部が構成されることを特徴とする請求項１又は２記載の屋根構造。
【発明の詳細な説明】
【技術分野】
【０００１】
本発明は、屋根上機能パネルの固定のための固定部材が設置される屋根の構造に関するものである。
【背景技術】
【０００２】
従来、屋根の上面に、例えば太陽光発電パネル等の屋根上機能パネルが設置されるものが知られている（例えば特許文献１参照）。
【先行技術文献】
【特許文献】
【０００３】
【特許文献１】特開２０００−１２９８６８号公報
【発明の概要】
【発明が解決しようとする課題】
【０００４】
この特許文献１に示される従来例にあっては、野地板のような下地材に、凹凸屋根パネルのような金属製の外囲板が敷設されていた。そして、外囲板の上に架台が取り付けられて、その架台にソーラーパネルなどの屋根上機能パネルが取り付けられていた。
【０００５】
架台は、外囲板上に固定される取付金具に固定されていた。ここで、固定金具は、ビスなどの止着具が外囲板を介して下地材に打ち込まれることで、外囲板に固定されている。このため、固定部材が下地材に取り付けられるための孔が外囲板および下地材に形成されてしまい、これにより防水性が低下してしまうものであった。
【０００６】
本発明は上記従来の問題点に鑑みて発明したものであって、その目的とするところは、屋根上機能パネルの固定部材の取り付けのために凹凸屋根パネルや野地板に形成される孔による、防水性の低下を抑える屋根構造を提供することを課題とするものである。
【課題を解決するための手段】
【０００７】
上記課題を解決するために、本発明は、以下のような構成とする。
【０００８】
野地板と、前記野地板の上面に軒方向に複数設けられる凹凸屋根パネルと、隣接する二つの前記凹凸屋根パネルの端部間に設けられるカバー部材と、前記カバー部材に固定されて屋根上機能パネルが固定されるための固定部材と、を備えた屋根構造であって、前記凹凸屋根パネルは、下方に開口し上方に凸となる凸部と、上方に開口し上方に凹となる凹部とを軒方向に交互に備え、前記凹凸屋根パネルの軒方向の端部には前記凹部の側縦片が位置し、隣接する二つの前記凹凸屋根パネルの前記側縦片が間隙を介して配置され、前記カバー部材は、上覆い片と、前記上覆い片の軒方向の両側端部から下方に連設される側覆い片と、前記側覆い片の下端部から外側方に連設される下覆い片と、を備え、隣接する二つの前記凹凸屋根パネルの前記側縦片を内部に収容し、前記下覆い片が前記凹凸屋根パネルの前記凹部の底部に重ねられるように設けられ、前記固定部材は、前記屋根上機能パネルが固定されるパネル固定部を上側に備えた上片と、前記上片の軒方向の両側端部から下方に連設される側片と、前記側片の下端部から外側方に連設される下片と、を備え、前記上片が前記カバー部材の前記上覆い片上に重ねられ、前記側片が前記側覆い片に重ねられ、前記下片が前記下覆い片に重ねられるように設けられ、前記固定部材には、前記側片と前記下片の境界となる折れ部の軒棟方向の中間部に挿通口が形成され、前記カバー部材の前記下覆い片の前記挿通口に対応する部分の軒棟方向両側に軒方向に切断部が形成されることで、前記切断部間に切り起こし片が形成され、前記切り起こし片は、切り起こされた状態で前記固定部材の前記挿通口に挿通され、前記下片が前記下覆い片に重ねられた状態で前記切り起こし片が前記下片に重ねられることを特徴とする。
【０００９】
また、前記野地板の上面の隣接する二つの前記凹凸屋根パネルの端部間に固定される吊り子を備え、前記吊り子は、前記野地板の上面に載置されて固定される底片と、前記底片の軒方向の両側から上方に連設され、前記凹凸屋根パネルの端部に位置する前記側縦片に沿って位置して、前記側縦片が撓むのを抑止する押さえ片と、前記押さえ片の上端部に設けられ、前記側縦片の上端部を掴む掴み部と、を備えることが好ましい。
【００１０】
また、前記凹凸屋根パネルの端部に位置する前記側縦片の前記側覆い片と当接する側の面の上下中間部に、軒棟方向を長手方向とする凹溝が形成され、前記カバー部材の前記側覆い片の前記側縦片と当接する側の面の前記凹溝に対応する位置に、軒棟方向を長手方向とし前記凹溝に嵌まり込む凸条が形成され、前記凹溝と前記凸条とで、前記カバー部材が上方へ外れるのを抑える抜け止め部が構成されることが好ましい。
【発明の効果】
【００１１】
本発明の屋根構造は、屋根上機能パネルの固定部材の取り付けのために凹凸屋根パネルや野地板に形成される孔による、防水性の低下を抑えることが可能となる。
【図面の簡単な説明】
【００１２】
【図１】（ａ）は本発明の一実施形態における凹凸屋根パネルに固定されたカバー部材への固定部材の装着を説明する斜視図であり、（ｂ）は（ａ）の要部拡大図である。
【図２】同上における屋根構造の全体斜視図である。
【図３】同上における凹凸屋根パネルの吊り子による野地板への固定を説明する斜視図である。
【図４】同上における凹凸屋根パネルへのカバー部材の装着を説明する斜視図である。
【図５】同上における凹凸屋根パネルへ装着したカバー部材の切り起こし片を切り起こした状態の斜視図である。
【図６】同上におけるカバー部材へ固定部材を装着して挿通口に挿通された切り起こし片が倒された状態の斜視図である。
【発明を実施するための形態】
【００１３】
以下、本発明を添付図面に示す実施形態に基いて説明する。本発明においては、図２に示すように、野地板１の上面に凹凸屋根パネル２が複数設けられて、屋根が構成される。
【００１４】
野地板１は、ボルトや釘が打ち込み可能な材質（主に木材）からなるもので、本実施形態では、軒棟方向Ｄ１に単調に傾斜して配置されている。
【００１５】
凹凸屋根パネル２は、図３に示すように、金属製の板材からなるもので、本実施形態ではガルバニウム鋼板が屈曲されて構成される。本実施形態の凹凸屋根パネル２は、図２に示すように、下方に開口し上方に凸となる凸部２１と、上方に開口し上方に凹となる凹部２２と、を軒方向Ｄ２に交互に備え、軒棟方向Ｄ１を長手方向としている。この凹凸屋根パネル２は、軒方向Ｄ２に複数設けられる。本実施形態では、軒方向Ｄ２に隣接する凹凸屋根パネル２の互いに隣接する側の端部には、凹部２２の側縦片２３が位置している。軒方向Ｄ２に隣接する凹凸屋根パネル２の互いに隣接する側縦片２３は、間隙２０を介して配置される。また、本実施形態では、この間隙２０の野地板１の上面に、凹凸屋根パネル２を固定するための吊り子３が設けられる。
【００１６】
吊り子３は、図３に示すように、野地板１の上面に載置されて固定される底片３１と、底片３１の軒方向Ｄ２の両側から上方に連設される押さえ片３２と、押さえ片３２の上端部に設けられる掴み部３３と、を備えている。押さえ片３２は、凹凸屋根パネル２の端部に位置する側縦片２３に沿って位置して、側縦片２３が撓むのを抑止することが可能である。掴み部３３は、押さえ片３２の上端部に設けられる逆Ｌ字状をしたもので、押さえ片３２とで側縦片２３の上端部を挟持して掴むものである。この吊り子３は、間隙２０の野地板１の上面に底片３１を貫通するように釘やボルト等の固着具（不図示）が野地板１に打ち込まれて、野地板１に固定される。そして、固定された吊り子３の掴み部３３により、凹凸屋根パネル２の端部に位置する側縦片２３が掴まれて、凹凸屋根パネル２が吊り子３を介して野地板１に固定される。なお、凹凸屋根パネル２の野地板１への固定は、吊り子３によらず、凹部２２の底部２５が野地板１上に載置されて、底部２５を貫通して釘やボルト等の固着具が野地板１に固定されてもよい。
【００１７】
隣接する二つの凹凸屋根パネル２の端部間には、図４に示すように、カバー部材４が設けられる。カバー部材４は、上覆い片４１と、側覆い片４２と、下覆い片４３と、を備えている。上覆い片４１は、本実施形態では、軒方向Ｄ２の長さが凹凸屋根パネル２の凸部２１の天面部２４の軒方向Ｄ２の長さと略同じ（正確には天面部２４より若干長い）となるように形成されている。上覆い片４１の軒方向Ｄ２の両側端部から下方に向けてそれぞれ、側覆い片４２が連設されている。側覆い片４２は、本実施形態では、上下長さが凹凸屋根パネル２の凹部２２（又は凸部２１）の側縦片２３の上下長さと略同じとなるように形成されている。側覆い片４２の下端部から外側方に向けてそれぞれ、下覆い片４３が連設されている。下覆い片４３は、本実施形態では、軒方向Ｄ２の長さが凹凸屋根パネル２の凹部２２の底部２５の軒方向Ｄ２の長さよりも短く形成されているが、凹部２２の底部２５の軒方向Ｄ２の長さと略同じに形成されてもよい。カバー部材４は、本実施形態では、軒棟方向Ｄ１の長さが凹凸屋根パネル２の軒棟方向Ｄ１の長さと略同じとなるように形成されているが、異なる長さでもよい。
【００１８】
このカバー部材４は、上覆い片４１が凹凸屋根パネル２の凸部２１の天面部２４上に重ねられ、側覆い片４２が凹凸屋根パネル２の凹部２２の側縦片２３に重ねられ、下覆い片４３が凹凸屋根パネル２の凹部２２の底部２５に重ねられるようにして、図５に示すように、隣接する二つの凹凸屋根パネル２の端部を内部に収容する。この時、凹凸屋根パネル２の両方の端部に位置する側縦片２３が、側覆い片４２を外方に押圧するようにすることで、カバー部材４の凹凸屋根パネル２への固定が強固となる。
【００１９】
特に、本実施形態では凹凸屋根パネル２が吊り子３により固定されている。このため、凹凸屋根パネル２の両方の端部に位置する側縦片２３が、カバー部材４の側覆い片４２の反力により内方に撓んで、側縦片２３と側覆い片４２との圧接力が弱くなり、カバー部材４の凹凸屋根パネル２への固定が軟弱となってしまうのが抑えられる。
【００２０】
また本実施形態では、カバー部材４が上方へ浮き上がって外れるのを抑える抜け止め部が設けられている。図４に示すように、凹凸屋根パネル２の端部に位置する側縦片２３の側覆い片４２と当接する側の面の上下中間部に、軒棟方向Ｄ１を長手方向とする、抜け止め部を構成する凹溝２６が形成されている。この凹溝２６は、下側へ行く程深さが深くなる上斜面と、下側へ行く程深さが浅くなる下斜面とを有している。上斜面の傾斜の方が下斜面の傾斜よりも大きく形成されている。
【００２１】
また、カバー部材４の側覆い片４２の側縦片２３と当接する側の面の上下の凹溝２６に対応する位置に、軒棟方向Ｄ１を長手方向とする、抜け止め部を構成する凸条４４が形成されている。この凸条４４は、下側へ行く程深さが深くなる上斜面と、下側へ行く程深さが浅くなる下斜面とを有している。凸条４４の上斜面の傾斜の方が下斜面の傾斜よりも大きく形成されており、凹溝２６の上斜面および下斜面の傾斜と対応している。凹溝２６と凸条４４とで抜け止め部が構成される。
【００２２】
カバー部材４は、上方より凹凸屋根パネル２の端部に被せられるように装着される。この時、カバー部材４の凸条４４が凹凸屋根パネル２の側縦片２３に上端より圧接されながら下降し、凹溝２６の位置まで下降した時に凹溝２６に嵌まり込む（図１参照）。カバー部材４の凸条４４の下斜面の傾斜が小さいため、凸条４４は、下降して凹凸屋根パネル２の側縦片２３の上端を乗り越え易い。また、カバー部材４の凸条４４および凹凸屋根パネル２の凹溝２６の上斜面の傾斜が大きいため、凸条４４が一旦凹溝２６に嵌まり込むと、上方へ抜け難く、これによりカバー部材４の上方への抜け止めがなされる。
【００２３】
このようなカバー部材４には、図２に示すように、屋根上機能パネル５を固定するための固定部材６が固定される。
【００２４】
屋根上機能パネル５は、太陽光発電パネルや、太陽光温水生成パネル等、屋根上に設置されるもので、前記以外の用途であってもよく特に限定はされない。本実施形態では、屋根上機能パネル５は、太陽光発電素子を備えたパネル本体と、パネル本体を収納するフレームまたはケーシングからなる収納体と、を備える太陽光発電パネルである。なお、太陽光発電パネルは多くの製品が広く知られており、構成は前記に限定されるものではなく、様々な太陽光発電パネルが適宜利用可能である。
【００２５】
固定部材６は、図１に示すように、上片６１と、側片６２と、下片６３と、を備えている。上片６１は、本実施形態では、軒方向Ｄ２の長さがカバー部材４の上覆い片４１の軒方向Ｄ２の長さと略同じ（正確には上覆い片４１より若干長い）となるように形成されている。上片６１の軒方向Ｄ２の両側端部から下方に向けてそれぞれ、側片６２が連設されている。また、上片６１には、屋根上機能パネル５が固定されるパネル固定部６４が設けられる。パネル固定部６４は、特に限定されないものであり、本実施形態では、屋根上機能パネル５を支持する棒状部材が上片６１から上方に突設されて構成されている。
【００２６】
側片６２は、本実施形態では、上下長さがカバー部材４の側覆い片４２の上下長さと略同じとなるように形成されている。側片６２の下端部から外側方に向けてそれぞれ、下片６３が連設されている。下片６３は、本実施形態では、軒方向Ｄ２の長さがカバー部材４の下覆い片４３の軒方向Ｄ２の長さよりも短く形成されているが、下覆い片４３の軒方向Ｄ２の長さと略同じに形成されてもよい。固定部材６は、本実施形態では、軒棟方向Ｄ１の長さがカバー部材４の軒棟方向Ｄ１の長さよりも短く形成されているが、特に限定されない。
【００２７】
この固定部材６は、図６に示すように、上片６１がカバー部材４の上覆い片４１上に重ねられ、側片６２がカバー部材４の側覆い片４２に重ねられ、下片６３がカバー部材４の下覆い片４３に重ねられるようにして、カバー部材４を内部に収容する。そして更に、固定部材６をカバー部材４に固定するための固定手段が設けられており、以下に説明する。
【００２８】
固定部材６には、図１に示すように、側片６２と下片６３の境界となる折れ部の軒棟方向Ｄ１の中間部に、固定手段としての挿通口６５が形成される。また、カバー部材４には、下覆い片４３の前記挿通口６５に対応する部分の軒棟方向Ｄ１両側に、軒方向Ｄ２全長に亘って切断部４５が形成される。そして、下覆い片４３の両切断部４５間が、固定手段としての切り起こし片４６となる。
【００２９】
固定部材６は、上方よりカバー部材４に被せられるように装着される。この時、図１に示すように、切り起こし片４６が切り起こされた状態で、固定部材６の挿通口６５に挿通され、固定部材６の下片６３がカバー部材４の下覆い片４３上に重ねられる。そして、図６に示すように、切り起こし片４６が倒されて、下片６３上に重ねられる。
【００３０】
このように、切り起こし片４６が挿通口６５に挿通されるため、固定部材６がカバー部材４に対して軒棟方向Ｄ１にずれるのが抑えられる。また、カバー部材４の下覆い片４３の切り起こし片４６以外の部分と切り起こし片４６とで、固定部材６の下片６３を挟持するため、固定部材６がカバー部材４から上方へ外れるのが抑えられる。
【００３１】
また本実施形態では、固定部材６が上方へ浮き上がって外れるのを抑える第二の抜け止め部が設けられている。なお、これに対し、上記抜け止め部を第一の抜け止め部とする。図１（ｂ）に示すように、カバー部材４の側覆い片４２の側片６２と当接する側の面の上下中間部に、軒棟方向Ｄ１を長手方向とする、第二の抜け止め部を構成する第二の凹溝４７が形成されている。なお、これに対し、凹凸屋根パネル２に形成される凹溝２６を第一の凹溝２６とする。第二の凹溝４７は、下側へ行く程深さが深くなる上斜面と、下側へ行く程深さが浅くなる下斜面とを有している。上斜面の傾斜の方が下斜面の傾斜よりも大きく形成されている。
【００３２】
また、固定部材６の側片６２の側覆い片４２と当接する側の面の上下の第二の凹溝４７に対応する位置に、軒棟方向Ｄ１を長手方向とする、第二の抜け止め部を構成する第二の凸条６６が形成されている。なお、これに対し、カバー部材４に形成される凸条４４を第一の凸条４４とする。第二の凸条６６は、下側へ行く程深さが深くなる上斜面と、下側へ行く程深さが浅くなる下斜面とを有している。第二の凸条６６の上斜面の傾斜の方が下斜面の傾斜よりも大きく形成されており、第二の凹溝４７の上斜面および下斜面の傾斜と対応している。第二の凹溝４７と第二の凸条６６とで第二の抜け止め部が構成される。
【００３３】
固定部材６が上方よりカバー部材４に装着される際、固定部材６の第二の凸条６６がカバー部材４の側覆い片４２に上端より圧接されながら下降し、第二の凹溝４７の位置まで下降した時に第二の凹溝４７に嵌まり込む。固定部材６の第二の凸条６６の下斜面の傾斜が小さいため、第二の凸条６６はカバー部材４の側覆い片４２の上端を乗り越え易い。また、固定部材６の第二の凸条６６およびカバー部材４の第二の凹溝４７の上斜面の傾斜が大きいため、第二の凸条６６が一旦第二の凹溝４７に嵌まり込むと、上方へ抜け難く、これにより固定部材６の上方への抜け止めがなされる。
【００３４】
上記構成によれば、固定部材６がカバー部材４に装着され、固定手段により固定部材６がカバー部材４に固定されて、固定部材６がカバー部材４に対して軒棟方向Ｄ１にずれたり上方に外れるのが抑えられる。そして、固定手段が、固定部材６に形成される挿通口６５と、カバー部材４に形成される切り起こし片４６とで構成されるため、従来のように、固定部材６の取り付けのために凹凸屋根パネル２や野地板１に孔が形成される必要がない。このため、凹凸屋根パネル２や野地板１に形成される孔による防水性の低下を抑えることが可能となる。
【符号の説明】
【００３５】
１    野地板
２    凹凸屋根パネル
２０  間隙
２１  凸部
２２  凹部
２３  側縦片
２４  天面部
２５  底部
２６  第一の凹溝
３    吊り子
３１  底片
３２  押さえ片
３３  掴み部
４    カバー部材
４１  上覆い片
４２  側覆い片
４３  下覆い片
４４  第一の凸条
４５  切断部
４６  切り起こし片
４７  第二の凹溝
５    屋根上機能パネル
６    固定部材
６１  上片
６２  側片
６３  下片
６４  パネル固定部
６５  挿通口
６６  第二の凸条
Ｄ１  軒棟方向
Ｄ２  軒方向
【図１】
2014080726.tif 000003
【図２】
2014080726.tif 000004
【図３】
2014080726.tif 000005
【図４】
2014080726.tif 000006
【図５】
2014080726.tif 000007
【図６】
2014080726.tif 000008